(57)【要約】【課題】  低階調から高階調にわたって、画像重複領域と画像重複領域外との輝度変化が視認されづらいマルチスクリーン画面を構成する。【解決手段】  入力画像信号における所定の階調Ｌｓｅｔより大きな階調でオフセット補正値が０となるように、最小階調でのオフセット補正値を線形に減少させたオフセット補正値Ｄｏｆｆｓｅｔを入力画像信号に付加する。【選択図】  図１
2014220656.tif 000002
【特許請求の範囲】
【請求項１】
複数の投射型画像表示装置から投射される画像のうち隣接する画像の一部を重複させて一つの画面を構成するために使用される投射型画像表示装置であって、
前記画像の重複する領域である画像重複領域外の領域の画像信号の階調に応じて、当該画像重複領域外の領域の少なくとも一部の画像信号のそれぞれに対して異なる値のオフセット補正値を付加するオフセット制御手段を有することを特徴とする投射型画像表示装置。
【請求項２】
前記オフセット制御手段は、階調が小さいほど値が大きく、かつ、所定の階調よりも大きな階調で値が０（ゼロ）となる前記オフセット補正値を、前記画像信号に対して付加することを特徴とする請求項１に記載の投射型画像表示装置。
【請求項３】
前記所定の階調は、前記画像信号の最小階調におけるオフセット補正値に応じて導出されることを特徴とする請求項２に記載の投射型画像表示装置。
【請求項４】
前記画像信号の階調を変換する階調変換手段を有し、
前記オフセット制御手段は、前記階調変換手段により階調が変換された、前記画像重複領域外の領域の少なくとも一部の画像信号のそれぞれに対して、当該画像信号の階調に応じて異なる値のオフセット補正値を付加することを特徴とする請求項１〜３の何れか１項に記載の投射型画像表示装置。
【請求項５】
前記階調変換手段は、投影される画像の輝度の変化に対する前記画像信号の階調の変化が、階調の変換を行わない場合よりも線形に近づくように前記画像信号の階調を変換することを特徴とする請求項４に記載の投射型画像表示装置。
【請求項６】
前記オフセット制御手段は、複数の階調のそれぞれに対応するオフセット補正値のうち、前記画像信号の階調に対応する少なくとも２つのオフセット補正値に基づいて、当該画像信号の階調に応じたオフセット補正値を算出することを特徴とする請求項１に記載の投射型画像表示装置。
【請求項７】
複数の投射型画像表示装置から投射される画像のうち隣接する画像の一部を重複させて一つの画面を構成するために使用される投影画像表示方法であって、
前記画像の重複する領域である画像重複領域外の領域の画像信号の階調に応じて、当該画像重複領域外の領域の少なくとも一部の画像信号のそれぞれに対して異なる値のオフセット補正値を付加するオフセット制御工程を有することを特徴とする投影画像表示方法。
【請求項８】
前記オフセット制御工程は、階調が小さいほど値が大きく、かつ、所定の階調よりも大きな階調で値が０（ゼロ）となる前記オフセット補正値を、前記画像信号に対して付加することを特徴とする請求項７に記載の投影画像表示方法。
【請求項９】
前記所定の階調は、前記画像信号の最小階調におけるオフセット補正値に応じて導出されることを特徴とする請求項８に記載の投影画像表示方法。
【請求項１０】
前記画像信号の階調を変換する階調変換工程を有し、
前記オフセット制御工程は、前記階調変換工程により階調が変換された、前記画像重複領域外の領域の少なくとも一部の画像信号のそれぞれに対して、当該画像信号の階調に応じて異なる値のオフセット補正値を付加することを特徴とする請求項７〜９の何れか１項に記載の投影画像表示方法。
【請求項１１】
前記階調変換工程は、投影される画像の輝度の変化に対する前記画像信号の階調の変化が、階調の変換を行わない場合よりも線形に近づくように前記画像信号の階調を変換することを特徴とする請求項１０に記載の投影画像表示方法。
【請求項１２】
前記オフセット制御工程は、複数の階調のそれぞれに対応するオフセット補正値のうち、前記画像信号の階調に対応する少なくとも２つのオフセット補正値に基づいて、当該画像信号の階調に応じたオフセット補正値を算出することを特徴とする請求項１１に記載の投影画像表示方法。
【請求項１３】
請求項７〜１２の何れか１項に記載の投影画像表示方法の各工程をコンピュータに実行させることを特徴とするコンピュータプログラム。
【発明の詳細な説明】
【技術分野】
【０００１】
本発明は、投射型画像表示装置、投影画像表示方法、及びコンピュータプログラムに関し、特に、複数の投射型画像表示装置から投射される画像に重複部分を設けてマルチスクリーン画面を構成するために用いて好適なものである。
【背景技術】
【０００２】
従来から、複数の投射型画像表示装置から投射された画像を用いてマルチスクリーン画面を構成することが行われている。このようなマルチスクリーン画面を構成する場合、複数の投射型画像表示装置から投射される画像のうち、相互に隣接する画像に、重複する画像領域を設け、当該重複する画像領域の画像信号に対して輝度補正を行うことで、隣接する画像の継目を目立たなくする。また、当該重複する画像領域を所定の幅とすることにより、輝度や色味等の特性が投射型画像表示装置毎に若干異なっていても、当該特性の相違を視認されにくくする。以下の説明では、「重複する画像領域」を必要に応じて「画像重複領域」と称する。
【０００３】
ここで、投射型画像表示装置のうち、透過型画像表示装置では透過光を、反射型画像表示装置では反射光を、それぞれ完全に遮断することが出来ない。このため、投射型画像表示装置から投射された画像では、黒を表示する場合でも微小な輝度を持つ。従って、マルチスクリーン画面において黒を表示する場合には、画像重複領域における有効画像の輝度が、画像重複領域外の有効画像の輝度よりも高くなってしまう。よって、画像重複領域と画像重複領域外との継目が視認されてしまう。
そこで、特許文献１には、投射型画像表示装置毎に、画像重複領域外の有効画像の信号にオフセット（補正値）を付加することで全体的に均一な黒表示を実現する技術が開示されている。
【先行技術文献】
【特許文献】
【０００４】
【特許文献１】特開２００２−２６８６２５号公報
【発明の概要】
【発明が解決しようとする課題】
【０００５】
しかしながら、補正値を全階調に一律に付加すると、高階調の領域で輝度の飽和が生じる。また、ディスプレイのガンマ（γ）補正を行った画像を見ると、逆に高階調の領域で輝度の段差が視認される。
輝度の飽和を回避する方法として、最大階調で補正値が０となるようにする方法が考えられる。しかしながら、このようにしても、ディスプレイのガンマ（γ）補正を行った画像を見た場合に生じる、中間階調の領域での輝度の段差に関しては解消することが出来ない。
本発明は、このような問題点に鑑みてなされたものであり、低階調から高階調にわたって、画像重複領域と画像重複領域外との輝度変化が視認されづらいマルチスクリーン画面を構成することを目的とする。
【課題を解決するための手段】
【０００６】
本発明の投射型画像表示装置は、複数の投射型画像表示装置から投射される画像のうち隣接する画像の一部を重複させて一つの画面を構成するために使用される投射型画像表示装置であって、前記画像の重複する領域である画像重複領域外の領域の画像信号の階調に応じて、当該画像重複領域外の領域の少なくとも一部の画像信号のそれぞれに対して異なる値のオフセット補正値を付加するオフセット制御手段を有することを特徴とする。
【発明の効果】
【０００７】
本発明によれば、画像重複領域外の領域の画像信号の階調に応じて、当該画像重複領域外の領域の少なくとも一部の画像信号のそれぞれに対して異なる値のオフセット補正値を付加する。したがって、低階調から高階調にわたって、画像重複領域と画像重複領域外との輝度変化が視認されづらいマルチスクリーン画面を構成することが出来る。
【図面の簡単な説明】
【０００８】
【図１】投射型画像表示装置の構成の第１の例を示す図である。
【図２】マルチスクリーン画面と、画面位置と最小階調との関係とを示す図である。
【図３】入力画像信号の階調と、出力画像信号の階調との関係を示す図である。
【図４】入力画像信号の階調と、オフセット補正値が付加された投影画像の輝度との関係を示す図である。
【図５】図４の入力画像信号の階調が０〜１０２４の領域を拡大して示す図である。
【図６】黒補正誤差と、入力画像信号の階調との関係の第１の例を示す図である。
【図７】投射型画像表示装置の構成の第２の例を示す図である。
【図８】黒補正誤差と、入力画像信号の階調との関係の第２の例を示す図である。
【図９】オフセット補正値と入力画像信号の階調との関係と、黒補正誤差と入力画像信号の階調との関係とを示す図である。
【発明を実施するための形態】
【０００９】
以下、本発明の実施の形態を図面に基づいて説明する。
（第１の実施形態）
まず、本発明の第１の実施形態について説明する。
図１は、本実施形態における投射型画像表示装置１０の概略構成の一例を示すブロック図である。投射型画像表示装置１０は、座標指定部５０、画像重複部補正回路１００、黒表示補正回路２００、ライトバルブ駆動部３００、及びライトバルブ４００を有する。
【００１０】
複数の投射型画像表示装置１０を用いて投影画像表示処理を行ってマルチスクリーン画面を構成する場合、隣接する投射型画像表示装置１０から投射される画像により形成される画像重複領域の座標を、座標指定部５０を用いて設定する。座標指定部５０は、例えば、ユーザインターフェースを用いることにより実現される。
【００１１】
画像重複部補正回路１００は、画像重複領域の画像信号に対して輝度補正を行うことで、画像重複領域と、画像重複領域外と、の継目を目立たなくするものである。
画像重複部補正回路１００は、画像重複部補正タイミング生成回路１１０、画像重複部補正係数生成回路１２０、及び乗算器１３０を有する。
画像重複部補正タイミング生成回路１１０は、座標指定部５０で指定された座標と、同期信号と、に基づいて、画像重複領域における画素位置を生成する。画像重複部補正係数生成回路１２０は、画像重複部補正タイミング生成回路１１０で生成された画素位置に基づいて、画像重複領域における補正係数を生成する。乗算器１３０は、画像重複部補正係数生成回路１２０で生成された補正係数を入力画像信号に乗ずることによって輝度補正を行う。
【００１２】
黒表示補正回路２００は、オフセット付加タイミング生成回路２１０、オフセット補正値指定部２２０、オフセット制御回路２３０、及び加算器２４０を有する。
オフセット付加タイミング生成回路２１０は、座標指定部５０で指定された座標と、同期信号と、に基づいて、オフセット補正値を付加するタイミングを生成する。
オフセット補正値指定部２２０は、画像信号の最小階調（＝黒）におけるオフセット補正値を指定する。オフセット補正値指定部２２０は、例えば、ユーザインターフェースを用いることにより実現される。
【００１３】
オフセット制御回路２３０は、オフセット付加タイミング生成回路２１０で生成されたオフセット付加タイミングに合わせて、座標指定部５０で指定される座標に基づいて特定される画像重複領域外の画像のオフセット補正値を生成する。
加算器２４０は、オフセット制御回路２３０で生成されたオフセット補正値を画像重複部補正回路１００で輝度補正された画像信号に対して加算する。尚、画像重複部補正回路１００の画像重複部補正タイミング生成回路１１０と、黒表示補正回路２００のオフセット付加タイミング生成回路と、を、補正タイミング生成回路として共通化しても良い。
画像重複部補正回路１００で画像重複領域の輝度補正が行われ、その後、黒表示補正回路２００で黒表示補正が行われた画像信号は、ライトバルブ駆動部３００及びライトバルブ４００を介して投射される。
【００１４】
図２は、マルチスクリーン画面（図２（Ａ））と、マルチスクリーン画面の画面位置と最小階調（黒を表示する階調）との関係（図２（Ｂ）、図２（Ｃ））の一例を概念的に示す図である。
図２（Ａ）に示すマルチスクリーン画面は、投射型画像表示装置１０を横に２台並べ、当該２台の投射型画像表示装置１０から投射された画像を示す。図２（Ａ）において、マルチスクリーン画面は、投影画像１０００、２０００（２つの非重複領域）と、１つの画像重複領域３０００とからなる。投影画像１０００は、第１の投射型画像表示装置１０（のみ）から投射された画像（投射画像）である。投影画像２０００は、第１の投射型画像表示装置１０に隣接して配置された第２の投射型画像表示装置１０（のみ）から投射された画像（投射画像）である。画像重複領域３０００は、投影画像１０００、２０００の一部（所定領域）が重複した領域である。
【００１５】
図２（Ｂ）は、黒補正を行っていない場合の、マルチスクリーン画面の画面位置と最小階調（黒を表示する階調）との関係の一例を示す図である。図２（Ｃ）は、黒補正を行った場合の、マルチスクリーン画面の画面位置と最小階調（黒を表示する階調）との関係の一例を示す図である。
投射型画像表示装置から投射される画像では、黒の表示を行う場合でも若干の輝度を有する。このため、図２（Ｂ）に示す通り、画像重複領域３０００における輝度が画像重複領域外の輝度よりも高くなり、画像重複領域の境界で輝度の段差が視認されてしまう。黒表示補正回路２００は、この輝度の段差を補正するものである。具体的には図２（Ｃ）に示すように、黒表示補正回路２００は、画像重複領域３０００外の領域の画像信号にオフセット補正値を付加することで、画像重複領域３０００の内外で均一な黒表示となるように、画像重複領域３０００外の領域の画像信号を補正する。
【００１６】
図３は、入力画像信号の階調と、入力画像信号に対してオフセット補正値が付加されたときと付加されていないときの階調（出力画像信号の階調）との関係の一例を示す図である。ここで、ディスプレイのガンマ（γ）特性を考慮して、入力画像信号の階調には、一般的な２．２乗のガンマ値が掛かっているものとする。
図４は、入力画像信号の階調と、入力画像信号に対してオフセット補正値が付加された投影画像の輝度との関係の一例を示す図である。図５は、図４の入力画像信号の階調が０〜１０２４の領域ＡＡを、入力画像信号に対してオフセット補正値が付加されていない投影画像の輝度と共に拡大して示す図である。尚、図４に示す輝度は、ライトバルブ駆動部３００及びライトバルブ４００を介して投射された、オフセット補正値を付加した後の画像の輝度を、最大輝度レベルで正規化した値である。
【００１７】
図３（Ａ）〜（Ｃ）において、グラフＬ１の縦軸は、入力画像信号に対して、オフセット補正値を付加していない場合の階調を示す。すなわち、グラフＬ１は、図２の画像重複領域３０００におけるライトバルブ駆動信号に基づくものである。また、図５（Ａ）〜図５（Ｃ）において、グラフＬＧ１は、画像重複領域３０００における輝度を示す。
【００１８】
図３（Ａ）において、グラフＬ２の縦軸は、入力画像信号の全ての階調に対し、同じオフセット補正値を付加した場合の階調を示す。この場合、図５（Ａ）のグラフＬＧ２に示すように、最小階調（＝黒）では、グラフＬＧ１との差（輝度差）が０（ゼロ）となる。しかしながら、入力画像信号の階調が大きくなるに従い、オフセット補正値を付加していないときの投影画像の輝度（グラフＬＧ１）よりも、オフセット補正値を付加したときの投影画像の輝度（グラフＬＧ２）の方が高くなる。つまり、黒補正を行うことで、逆に高輝度側の領域では、画像重複領域の境界における輝度の段差を生じることとなる。
【００１９】
次に、図３（Ｂ）において、グラフＬ３の縦軸は、入力画像信号の階調に対し、次のようなオフセット補正値を付加した場合の階調を示す。すなわち、最大階調（ここでは４０９５）でオフセット補正値が０となるように、最小階調（ここでは０）でのオフセット補正値を線形に減少させたオフセット補正値を入力画像信号に対して付加した場合の階調を示す。この場合も、図５（Ｂ）のグラフＬＧ３に示すように、入力画像信号の中間階調において、オフセット補正値を付加していないときの投影画像の輝度（グラフＬＧ１）よりも、オフセット補正値を付加したときの投影画像の輝度（グラフＬＧ３）の方が高くなる。
【００２０】
そこで、本実施形態では、オフセット制御回路２３０は、以下の動作（処理）を行う。
すなわち、オフセット制御回路２３０は、図３（Ｃ）のグラフＬ４に示すような階調となるように入力画像信号にオフセット補正値を付加する。具体的に、入力画像信号における所定の階調より大きな階調でオフセット補正値が０となるように、最小階調でのオフセット補正値を減少させたオフセット補正値を、入力画像信号に対して付加する。例えば、以下の数式（１ａ）、（１ｂ）で示すように、入力画像信号における所定の階調Ｌｓｅｔまでは線形にオフセット補正値を減少させ、当該所定の階調より大きい階調ではオフセット補正値を０とする。
Ｄｏｆｆｓｅｔ＝Ｄｂｌｋ-Ｄｂｌｋ×Ｌｓｉｇ／Ｌｓｅｔ  （Ｌｓｉｇ≦Ｌｓｅｔ）  ・・・（１ａ）
Ｄｏｆｆｓｅｔ＝０  （Ｌｓｉｇ＞Ｌｓｅｔ）  ・・・（１ｂ）
ここで、Ｄｏｆｆｓｅｔは、オフセット補正値、Ｄｂｌｋは、最小階調でのオフセット補正値、Ｌｓｅｔは、オフセット値を０とする所定の階調、Ｌｓｉｇは、入力画像信号の階調である。
【００２１】
この方法では、図５（Ｃ）のグラフＬＧ４に示すように、所定の階調Ｌｓｅｔの選び方によって、最小階調と所定の階調との間で、グラフＬＧ１、ＬＧ４の輝度差が０となるクロスポイントを持つ。そして、このクロスポイントより低階調側では、グラフＬＧ４の輝度はグラフＬＧ１の輝度より高めになる（過補正になる）。一方、このクロスポイントより高階調側では、グラフＬＧ４の輝度はグラフＬＧ１の輝度より低めになる（補正不足になる）。しかしながら、図５（Ａ）及び図５（Ｂ）に比べると、全体としてはグラフＬＧ１、ＬＧ４の輝度差の乖離を小さく抑えることが出来る。
【００２２】
図６は、投影画像の輝度に対する黒補正誤差（投影画像１０００、２０００に黒補正を行った輝度と、画像重複領域３０００の輝度との差分）と、入力画像信号の階調との関係の一例を示す図である。
図６において、グラフＬＳ２は、入力画像信号の階調に対し、同一のオフセット補正値を付加した場合のグラフを示す。また、グラフＬＳ３は、最大階調でオフセット補正値が０となるように、最小階調でのオフセット補正値を線形に減少させたオフセット補正値を入力画像信号に対して付加した場合のグラフを示す。また、グラフＬＳ４は、本実施形態のように、入力画像信号における所定の階調でオフセット補正値が０となるように、最小階調でのオフセット補正値を減少させたオフセット補正値を、入力画像信号に対して付加した場合のグラフを示す。図６に示すように、オフセット制御回路２３０を用いることによって入力画像信号の全階調領域にわたって輝度の段差を抑制出来ることが分かる。
【００２３】
ここで、オフセット補正値を０とする所定の階調は、前述した過補正になる範囲と補正不足になる範囲がバランスするように決定するのが好ましい。例えば、オフセット制御回路２３０は、数式（２）により、オフセット補正値を０とする所定の階調Ｌｓｅｔを導出する。
Ｌｓｅｔ＝α×Ｄｂｌｋ  ・・・（２）
ここで、αは１以上の係数であり、本発明者らの検討に依れば、係数αをおおよそ１．７（α＝１．７）とすることで、前述した過補正の範囲と補正不足の範囲をバランスさせることが出来る。ただし、本実施形態では、例えば、数式（２）に従う範囲で、所定の階調Ｌｓｅｔの値を任意に設定することが出来る。
【００２４】
以上のように本実施形態では、入力画像信号における所定の階調Ｌｓｅｔより大きな階調でオフセット補正値が０となるように、最小階調でのオフセット補正値を線形に減少させたオフセット補正値Ｄｏｆｆｓｅｔを入力画像信号に付加する。ここで、所定の階調Ｌｓｅｔは、例えば、最小階調でのオフセット補正値Ｄｂｌｋに、１以上の係数αを掛けることにより得られる。したがって、低階調から高階調にわたって画像重複領域３０００と画像重複領域３０００外との輝度変化を抑制したマルチスクリーン画面を構成することが可能な投射型画像表示装置を提供することが出来る。そのため、全階調領域にわたって画面の一体感を損なうことのないマルチスクリーン画面を構成することが可能な投射型画像表示装置を提供することが出来る。
【００２５】
（第２の実施形態）
次に、本発明の第２の実施形態について説明する。本実施形態では、黒表示補正回路２００において、オフセット制御回路２３０及び加算器２４０の前後にそれぞれデガンマ回路２５０およびガンマ回路２６０を配置した点が主として第１の実施形態と異なる。したがって、本実施形態の説明において、第１の実施形態と共通の構成要素については、図１〜図６に付した符号と同一の符号を付し、詳細な説明を省略する。
【００２６】
図７は、本実施形態における投射型画像表示装置２０の概略構成の一例を示すブロック図である。
入力画像信号は、ディスプレイの一般的なガンマ特性（＝２．２）を考慮して１／２．２乗のガンマ値を掛けた信号となっている。
デガンマ回路２５０は、入力画像信号を階調変換（逆ガンマ補正）することで、表示輝度の変化に対する入力画像信号の階調の変化を略線形となるようにする。理想的には、入力画像信号を２．２乗することで、表示輝度の変化に対する入力画像信号の階調の変化を線形に扱うことが出来る。ガンマ回路２６０は、オフセット補正値が付加された後の入力画像信号を再度階調変換する。理想的にはディスプレイのガンマ特性を考慮して、ガンマ回路２６０は、オフセット補正値が付加された後の入力画像信号を１／２．２乗する（ガンマ補正を行う）。
【００２７】
デガンマ回路２５０及びガンマ回路２６０において、階調変換（画像信号を１／２．２乗及び２．２乗）する場合、オフセット補正値は、全階調で同じであるのが理想的である。しかしながら、デガンマ回路２５０で入力画像信号を１／２．２乗とすることは、入力画像信号の階調をつぶす演算となる。したがって、処理ビットを十分取れない場合、階調つぶれとなってしまう。例えば、処理ビットを１２（処理ビット＝１２）とした場合、３０％程度の階調が損なわれる。そこで、デガンマ回路２５０及びガンマ回路２６０において使用するガンマ値を２．２より小さくすることで、線形に近い階調変化に変換しながら階調潰れを抑えた輝度段差の抑制を実現する。例えば、ガンマ値を１．４５（γ＝１．４５）とすると、処理ビットが１２（処理ビット＝１２）の場合で階調つぶれは１５％程度に抑えることが出来る。
この場合も、第１の実施形態で説明した通り、オフセット制御回路２３０を用いて、所定の階調Ｌｓｅｔでオフセット補正値を０とする制御が有効となる。
【００２８】
図８は、投影画像の輝度に対する黒補正誤差（投影画像１０００、２０００の輝度と、黒補正を行った画像重複領域３０００の輝度との差分）と、入力画像信号の階調との関係の一例を示す図である。図８では、ガンマ値を１．４５とした場合を例に挙げて示す。
図８において、グラフＬＳ２は、入力画像信号の階調に対し、一律のオフセットを付加した場合のグラフを示す。また、グラフＬＳ３は、最大階調でオフセット補正値が０となるように、最小階調でのオフセット補正値を線形に減少させたオフセット補正値を入力画像信号に対して付加した場合のグラフを示す。また、グラフＬＳ４は、本実施形態のように、入力画像信号における所定の階調でオフセット補正値が０となるように、最小階調でのオフセット補正値を減少させたオフセット補正値を、入力画像信号に対して付加した場合のグラフを示す。
【００２９】
図８と、第１の実施形態における黒補正誤差を示す図６との比較から、本実施形態の方が、より一層、輝度段差を抑制することが出来ることが分かる。
本実施形態においても、オフセット補正値を０とする所定の階調Ｌｓｅｔは、デガンマ回路２５０で階調変換した入力画像信号に対して、第１の実施形態と同様に過補正の範囲と補正不足の範囲とがバランスするように決定する。所定の階調Ｌｓｅｔは、最小階調におけるオフセット補正値Ｄｂｌｋのα倍とすることで、過補正の範囲と補正不足の範囲とをバランスさせることが出来る。係数αの値は、デガンマ回路２５０およびガンマ回路２６０において使用するガンマ値が大きくなるほど大きくするのが良く、本発明者らの検討に依れば、ガンマ値が１．４５（γ＝１．４５）のときには係数αをおおよそ３（α＝３）にすることが出来る。
【００３０】
本実施形態では、表示される投影画像の輝度の変化に対する入力画像信号の階調の変化を線形（リニア）に近い条件とした上で、第１の実施形態で説明した処理を行い、当該処理によりオフセット補正値が付加された後の入力画像信号を再度階調変換する。したがって、低階調から高階調にわたって画像重複領域３０００と画像重複領域３０００外との輝度変化を、より一層抑制したマルチスクリーン画面を構成することが可能な投射型画像表示装置を提供することが出来る。
【００３１】
（第３の実施形態）
次に、本発明の第３の実施形態を説明する。本実施形態では、入力画像信号の各階調（全階調）に対するオフセット補正値を算出する。本実施形態と第１、第２の実施形態とは、オフセット補正値の求め方等が主として異なる。したがって、本実施形態の説明において、第１、第２の実施形態と共通の構成要素については、図１〜図８に付した符号と同一の符号を付し、詳細な説明を省略する。
【００３２】
本実施形態における投射型画像表示装置の概略構成の一例を示すブロック図は、第１の実施形態の投射型画像表示装置１０（図１）と同じである。
図９は、オフセット補正値と入力画像信号の階調との関係の一例（図９（Ａ））と、投影画像の輝度に対する黒補正誤差と入力画像信号の階調との関係の一例（図９（Ｂ））を示す図である。例えば、図２に示す画像重複領域３０００における投影画像の輝度特性を実現するために要求される入力画像信号の階調に対するオフセット補正値（オフセット付加特性）を見積もると、図９（Ａ）に示すようになる。このオフセット付加特性を実現するために、黒表示補正回路２００は、複数の階調に対応するオフセット補正値を少なくとも持つようにする。
【００３３】
尚、これら複数の階調の間の任意の階調に対応するオフセット補正値を設定する場合には、補間により、当該オフセット補正値を算出する。オフセット補正値の補間の方法としては、例えば、オフセット補正値の算出対象となる階調を間に含む、相互に隣接する２つの階調におけるオフセット補正値を用いた線形補間が簡便である。しかしながら、オフセット補正値の補間の方法はこれに限定するものではない。図９（Ａ）に示す例では、オフセット補正値が設定された階調を、０、１２８、２５６、３８４、５１２、７６８、１０２４、２０４８、４０９６の９階調とし、それらの階調の間のオフセット補正値を線形補間してオフセット付加特性を算出した。図９（Ａ）に示すように、オフセット付加特性は、半比例に近い特性となるので、入力画像信号の低階調の範囲では、オフセット補正値を設定する階調を密にし、高階調の範囲ではオフセット補正値を設定する階調を疎にすることが出来る。
【００３４】
図９（Ｂ）は、本実施形態における黒補正誤差を示す。第１、第２の実施形態に比べ、さらに黒補正誤差を抑制出来ることが分かる。尚、第２の実施形態におけるデガンマ回路２５０及びガンマ回路２６０は一般にＬＵＴで実現するため、回路規模が大きくなる。これに対し、本実施形態では、黒表示補正回路２００がオフセット付加特性を算出していればよく、階調変換のためのＬＵＴが不要であるため回路規模の増大も抑制出来る。ただし、オフセット付加特性を予め記憶しておいてもよい。
以上のように本実施形態では、力画像信号の各階調（全階調）に対するオフセット補正値を算出する。したがって、回路規模の増大なしに低階調から高階調にわたって画像重複領域３０００と画像重複領域３０００外との輝度変化を、より一層抑制したマルチスクリーン画面を構成することが可能な投射型画像表示装置を提供することが出来る。
【００３５】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することが出来る。
【００３６】
（その他の実施例）
本発明は、以下の処理を実行することによっても実現される。即ち、まず、以上の実施形態の機能を実現するソフトウェア（コンピュータプログラム）を、ネットワーク又は各種記憶媒体を介してシステム或いは装置に供給する。そして、そのシステム或いは装置のコンピュータ（又はＣＰＵやＭＰＵ等）が当該コンピュータプログラムを読み出して実行する。
【符号の説明】
【００３７】
１０、２０  投射型画像表示装置、１０００、２０００  投影画像、３０００  投影画像の画像重複領域
【図１】
2014220656.tif 000003
【図２】
2014220656.tif 000004
【図３】
2014220656.tif 000005
【図４】
2014220656.tif 000006
【図５】
2014220656.tif 000007
【図６】
2014220656.tif 000008
【図７】
2014220656.tif 000009
【図８】
2014220656.tif 000010
【図９】
2014220656.tif 000011